(57)【要約】【課題】  仏事又は神事が執り行われる建物の座において、座席の設置作業及び片付作業を簡便なものとすることができる座席構造を提供する。【解決手段】  仏事を執り行う寺院の本堂において、参列者用の座である東の間及び西の間には、畳よりなる床面１７に開口部２０が設けられている。また、東の間及び西の間の床下にはそれぞれ座席昇降機構が設置されている。そして、座席体４０は、当該座席昇降機構によって前記開口部２０から出没自在に構成されている。【選択図】      図１
2005111096.tif 000002
【特許請求の範囲】
【請求項１】
仏事又は神事を執り行う建物内の参列者用の座に設けられる座席構造であって、
前記座の床面に設けられた開口部と、前記座の床下に設置された座席昇降機構と、当該座席昇降機構により前記開口部から出没自在とされた座席体とを備えることを特徴とする座席構造。
【請求項２】
前記座席昇降機構は、前記座席体を床下から支持する支持部材と、当該支持部材に接続されて同支持部材を駆動させる駆動手段とを備えるとともに、該支持部材に対して前記座席体を螺合関係で取着したことを特徴とする請求項１に記載の座席構造。
【請求項３】
前記座席体は、前記座席昇降機構に取着された支持基体と、当該支持基体によって下方から支持された座部とを有するとともに、当該座部は、座席体が床下へ没入した状態でその座面が座の床面を構成するものであることを特徴とする請求項１又は請求項２に記載の座席構造。
【請求項４】
前記座席体が床上に出現した状態で、当該座席体と前記開口部との間に形成される隙間を埋める間詰手段を備えることを特徴とする請求項１から請求項３のいずれか一項に記載の座席構造。
【発明の詳細な説明】
【技術分野】
【０００１】
本発明は、寺院の本堂、神社の社殿、セレモニーホール等といった仏事又は神事が執り行われる建物の座席構造に関するものである。
【背景技術】
【０００２】
従来、上記のような建物において、参列者用の座である控の間、脇の間等はその床面が畳面、板面等で構成されており、同床面上に参列者は正座、胡座等の状態で着座する。一方、この座の床面上に台、椅子等の座席を並べることにより、参列者を座席に着座させる場合がある。このような場合、座席の保管場所に広いスペースを要するとともに、保管場所から座まで座席を運ぶ作業が繁雑となる。これに対し、例えば特許文献１に示される座席構造においては、昇降自在な座席収納床を設け、同座席収納床の内部に座席ユニットを取り出し可能に設けている。
【特許文献１】特開平９−１９５５５１号公報
【発明の開示】
【発明が解決しようとする課題】
【０００３】
ところが、上記従来の座席構造であっても、座席収納床から座席ユニットを取り出すという作業を必要とし、この作業に人手、時間等を要するという問題がある。また一方、仏事又は神事が執り行われる建物で座は、床面を畳面、板面等としたまま、つまり和室としての使用を主としており、仏事又は神事が終了した後はこれら椅子を迅速に片付ける必要がある。このため、座席の設置作業の簡便さを重視しつつ、これと同等か、それ以上に座席の片付作業の簡便さも重視されていた。
【０００４】
本発明は、このような従来技術に存在する問題点に着目してなされたものである。その目的とするところは、仏事又は神事が執り行われる建物の座で座席の設置作業及び片付作業を簡便なものとすることができる座席構造を提供することにある。
【課題を解決するための手段】
【０００５】
上記の目的を達成するために、請求項１に記載の座席構造の発明は、仏事又は神事を執り行う建物内の参列者用の座に設けられる座席構造であって、前記座の床面に設けられた開口部と、前記座の床下に設置された座席昇降機構と、当該座席昇降機構により前記開口部から出没自在とされた座席体とを備えることを要旨とする。
【０００６】
請求項２に記載の座席構造の発明は、請求項１に記載の発明において、前記座席昇降機構は、前記座席体を床下から支持する支持部材と、当該支持部材に接続されて同支持部材を駆動させる駆動手段とを備えるとともに、該支持部材に対して前記座席体を螺合関係で取着したことを要旨とする。
【０００７】
請求項３に記載の座席構造の発明は、請求項１又は請求項２に記載の発明において、前記座席体は、前記座席昇降機構に取着された支持基体と、当該支持基体によって下方から支持された座部とを有するとともに、当該座部は、座席体が床下へ没入した状態でその座面が座の床面を構成するものであることを要旨とする。
【０００８】
請求項４に記載の座席構造の発明は、請求項１から請求項３のいずれか一項に記載の発明において、前記座席体が床上に出現した状態で、当該座席体と前記開口部との間に形成される隙間を埋める間詰手段を備えることを要旨とする。
【発明の効果】
【０００９】
本発明によれば、仏事又は神事が執り行われる建物の座において、座席の設置作業及び片付作業を簡便なものとすることができる座席構造を提供することができる。
【発明を実施するための最良の形態】
【００１０】
（第１の実施形態）
以下、本発明の座席構造を寺院の本堂に具体化した第１の実施形態について図面に基づいて説明する。
【００１１】
図２は、仏事又は神事が執り行われる建物である寺院の本堂の概略を示す平面図である。本堂１０は、敷居、襖等の仕切手段１１により、その内部が複数の座に仕切られている。これら座のうち本堂１０の略中心に配置された座は、仏事の際に僧侶が控える大間１２である。この大間１２に対して北方（図２中で上方）に配置された座は、祭壇、仏像等が安置される内陣１３である。大間１２に対して東方及び西方（図２中でそれぞれ右方及び左方）に配置された座は、脇の間である東の間１４及び西の間１５であって、これら東の間１４及び西の間１５が参列者用の座となる。また、大間１２、東の間１４及び西の間１５の南方（図２中で下方）に配置された３つの座は露地１６であり、仏事の際には当該露地１６も参列者用の座として利用される場合がある。これら大間１２、東の間１４、西の間１５及び露地１６において、それぞれの床面は畳面となっている。そして、参列者が腰掛けるための座席体を出没自在とした座席構造は、これら座のうち東の間１４及び西の間１５に設けられている。
【００１２】
図１（ａ）は座席構造において座席体を床上に出現させた状態を示す斜視図であり、図３は同状態を示す正断面図である。当該座席構造は、床面１７に設けられた開口部２０と、床下に設置された座席昇降機構３０と、床上に立設された座席体４０とを備えている。前記開口部２０は座の床面１７を構成する畳、床板等を取り除くことによって形成されており、同開口部２０を介して床上の空間と床下の空間とが連通されている。なお、開口部２０は一般的なサイズの畳をその幅方向で半分にしたサイズとされており、当該開口部２０の周囲に配設された畳２１は開口部２０のサイズに合わせるように、一般的なサイズの畳をその幅方向で半分にしたサイズとされている。これは、例えば周囲に配設された畳２１と明らかに大きさが異なる開口部２０が存在する等といった開口部２０を設けたことによる違和感を無くし、東の間１４及び西の間１５を和室として使用する際の美観を保つためである。
【００１３】
前記座席昇降機構３０について説明する。前記床下の空間には、一対の基台３３が所定間隔をおいて設置されている。これら基台３３の間には駆動力伝達軸３４が架設されるとともに、同駆動力伝達軸３４にはモータ３５が接続されている。これら基台３３、駆動力伝達軸３４、モータ３５等により、座席昇降機構３０の駆動手段が構成されている。各基台３３の上面には支持部材３６がそれぞれ垂設されている。これら支持部材３６は円柱状に形成されており、その表面には雄ねじが螺刻されている。当該支持部材３６は、図示しない基台３３の内部で、その基端部がウォームギア等を介して駆動力伝達軸３４の端部に接続されている。
【００１４】
これら基台３３、駆動力伝達軸３４、モータ３５等の駆動手段と、支持部材３６とによって座席昇降機構３０が構成されている。支持部材３６は、モータ３５により駆動力伝達軸３４を回転駆動させると、同駆動力伝達軸３４を介して駆動力が伝達されることに伴い、その軸線を中心に回転するよう構成されている。また、各支持部材３６は、同じ駆動力伝達軸３４の両端部にそれぞれ接続されており、互いにほぼ同じ回転速度（回転数）で回転するよう構成されている。なお、前記モータ３５は駆動力伝達軸３４の回転駆動を正転又は逆転させることが可能なものであり、当該支持部材３６は、駆動力伝達軸３４の回転方向に応じて正回転又は逆回転する。加えて、各支持部材３６は、互いに同方向へ回転するよう構成されている。
【００１５】
前記座席体４０について説明する。当該座席体４０は、支持基体４１と、同支持基体４１によって下方から支持された座部４２とを有している。当該支持基体４１は、横長四角筒状に形成されており、その内部に設けられたフレーム４３によって補強されている。当該座部４２は畳で形成されており、そのサイズは前記畳２１と同じである。また、当該座部４２は支持基体４１のフレーム４３に固着されている。
【００１６】
図３及び図５に示すように、前記支持基体４１の底部でフレーム４３には、前記支持部材３６の位置と対応するように、ガイド脚部５１が取付けられている。当該ガイド脚部５１は底壁５２に比べて天壁５３が縦長とされた略縦長四角箱状に形成されており、その天壁５３は前記フレーム４３の一部を構成するものである。ガイド脚部５１の底壁５２には、その略中心部に雌ねじ孔５４が螺設されるとともに、この雌ねじ孔５４と対応する位置となるように天壁５３には挿通孔５４ａが透設されている。この雌ねじ孔５４からガイド脚部５１の内部に前記支持部材３６の上端部が螺挿されることにより、当該ガイド脚部５１は支持部材３６の上部に位置決めされた状態で配置されている。従って、前記支持基体４１は支持部材３６に対し、該ガイド脚部５１を介して螺合関係により取着されている。そして、同ガイド脚部５１が支持部材３６上で位置決めされた状態とされていることから、座席体４０は、座席昇降機構３０の支持部材３６によって床下から支持されている。
【００１７】
前記座席昇降機構３０を構成する各基台３３の近傍位置にはガイド柱６１がそれぞれ立設されている。これらガイド柱６１は、それぞれ下端で固定されるとともに、前記ガイド脚部５１に対向する側面にはガイドレール６２が同ガイド柱６１の長手方向へ延びるように突設されている。一方、ガイド脚部５１において、ガイド柱６１に対向する側面にはガイド爪５５が突設されている。このガイド爪５５は、ガイドレール６２に係合されている。これらガイド脚部５１、ガイド柱６１等によって座席昇降機構３０のガイド手段が構成されている。そして、当該ガイド手段によるガイド爪５５とガイドレール６２との係合関係は、ガイド柱６１に対するガイド脚部５１の上下方向への移動を許容し、ガイド柱６１に対するガイド脚部５１の横方向への移動及びガイド脚部５１の支持部材３６に対する回動を規制している。
【００１８】
図１（ｂ）は座席構造において座席体を床下に没入させた状態を示す斜視図であり、図４は同状態を示す正断面図である。この状態で、前記ガイド脚部５１は、支持部材３６に対して下方へ螺進されることにより、支持部材３６の下部に位置決めされた状態で配置されている。座席体４０は支持部材３６に対するガイド脚部５１の移動に伴って床下へと移動しており、その支持基体４１は床下の空間内に沈下されている。また、当該支持基体４１の底面が開放されていることから、前記支持部材３６及びガイド柱６１のそれぞれの上部は支持基体４１内に位置しており、座席体４０の没入時において支持基体４１は支持部材３６及びガイド柱６１に対する干渉を防止されている。
【００１９】
一方、座席体４０の座部４２は、前記開口部２０を塞ぐ蓋体として機能している。また、座部４２の上面である座面４２ａは、開口部２０の周囲に配設された畳２１の表面と略面一となることにより、これら畳２１の表面とともに床面１７を構成している。この座部４２は、畳製であるとともに周囲に配設された畳２１と同一サイズであり、床面１７上で座面４２ａと周囲に配設された畳２１の表面とを一瞥で見分けることはほぼ不可能である。さらに、当該座部４２の周面４２ｂは座席体４０の没入方向（下方）へ向かうに従って互いに接近するテーパ状に形成され、これに対応して開口部２０の内周面２０ａは下方へ向かうに従って互いに接近するテーパ状に形成されている。これらテーパ状に形成された座部４２の周面４２ｂ及び開口部２０の内周面２０ａにより、座席体４０が床下に没入した状態で当該座席体４０の座部４２と開口部２０との間に形成される隙間を埋める隙間埋手段が構成されている。
【００２０】
すなわち、座席体４０を開口部２０から円滑に出没させるためには、開口部２０のサイズを座部４２のサイズよりも若干大きくする必要がある。このように開口部２０のサイズを座部４２のサイズよりも大きくするに従い、周面４２ｂと内周面２０ａとは接触しにくくなり、座部４２の周囲に隙間が形成されてしまう。このような隙間は、東の間１４及び西の間１５を和室として使用する際に床面１７上で座面４２ａを目立たせ、畳面として違和感を生じさせることにより、美観を損なわせるものとなる。そこで、当該座席構造は、隙間埋手段として開口部２０の内周面２０ａと座席体４０の周面４２ｂとをそれぞれテーパ状とし、互いに接触させることにより、座部４２の周囲に隙間が形成されることを防止し、和室としての美観を保つこととしている。
【００２１】
図１（ａ）及び図６に示すように、前記支持基体４１は、その周壁の外面が前記座部４２の周面４２ｂよりも内側（座部４２の中心寄り）となるように配設されている。このように、支持基体４１の周壁の外面を座部４２の周面４２ｂよりも内側へ片寄らせることにより、当該支持基体４１の周囲には脚置空間４４が設けられている。この脚置空間４４は、参列者が座席体４０に腰掛けた際に脚部を配置させる空間である。
【００２２】
すなわち、支持基体４１の周壁の外面と座部４２の周面４２ｂとを略連続的に形成した場合、膝裏を周面４２ｂに接触させようとすれば、先にふくらはぎ、かかと等が周壁の外面に接触してしまうため、参列者は脚部を斜めに伸ばしながら座席体４０に浅く腰掛けざるを得ない。これに対し、脚置空間４４を設けた当該座席体４０は、膝裏を周面４２ｂに接触させながらも脚部を真っ直ぐに降ろした状態で座席体４０に深く腰掛けることができるため、着座時の姿勢が自然なものとなり、座りやすくなっている。特に、当該座席体４０においては、支持基体４１の周壁の外面のうち前面４５を他の外面よりも大きく内側へ片寄らせている。このため、同支持基体４１の前部には他箇所より大きな脚置空間４４が設けられており、参列者が前方を向いて着座した際に特に座りやすくなるよう構成されている。なお、ここで前方とは、参列者の視点が集まる箇所、つまり僧侶が控える大間１２へと向かう方向を示している。
【００２３】
当該開口部２０の前部において、床面１７の裏面には木材等からなる支持材７１が垂下されるとともに、同支持材７１の内面には支承体７２が取付けらている。この支承体７２は、板材を折り曲げることによって横Ｕ字状に形成されており、その上端部及び下端部にはそれぞれ貫通孔が設けられている。当該支承体７２には支持棒７３が各貫通孔に挿通されて支承されるとともに、当該支持棒７３の下端部には抜止部材７４が、上端部には係止部材７５が外嵌されている。当該支持棒７３の周面上において、前記支承体７２の上面と係止部材７５との間にはコイルスプリング、合成ゴム等の弾性体からなる付勢部材７６が遊嵌されている。この付勢部材７６は支持棒７３を支承体７２に対して上方へ移動させるように付勢するとともに、抜止部材７４は付勢部材７６によって付勢された支持棒７３が支承体７２から抜け出さないように支持棒７３の移動を規制している。そして、支持棒７３の上端には長板状の間詰板７７が固着されている。
【００２４】
上記の支持材７１、支承体７２、支持棒７３、付勢部材７６、間詰板７７等によって間詰手段が構成されている。当該座席構造においては、前述のように支持基体４１の前部に他箇所より大きな脚置空間４４が設けられている。このため、座席体４０を床上に出現させた状態で、座席体４０の前面４５と前記開口部２０の内周面２０ａとの間には大きな間隙２２が形成されてしまう。そこで、この間隙２２を塞ぐために当該間詰手段が設けられている。すなわち、図６に２点鎖線で示すように、座席体４０が床下に沈下した状態で、支持棒７３は、座席体４０の座部４２によって間詰板７７を介して下方へ押圧されており、この状態では付勢部材７６による付勢力に抗して下方へ移動している。そして、座席体４０を床上に出現させると、付勢部材７６によって付勢された支持棒７３が上方へ移動し、これに伴って間詰板７７が上方へ移動して前記間隙２２を塞ぐよう構成されている。
【００２５】
図２及び図７に示すように、当該座席構造において、東の間１４及び西の間１５には、南北方向で隣接するものを１対として、座席体４０がそれぞれ４対ずつ設けられている。これら座席体４０は床上に出現した状態で、参列者の視点が集まる箇所である大間１２から遠ざかる（前方から後方へ向かう）に従って床面１７から座面４２ａまでのそれぞれの高さが高くなるように構成されている。これにより、後方の座席体４０に腰掛けた参列者は、前方の座席体４０に腰掛けた参列者に比べて視点が高くなるため視界が遮られにくく、僧侶、仏事等を見やすくなっている。これら座席体４０の高さは、各々を支持する支持部材３６上でガイド脚部５１の位置をそれぞれ変えることによって調節している。また、図８に示すように、これら座席体４０が床下に没入した状態で、それぞれの座面４２ａは同じ高さとなり、床面１７を構成することとなる。
【００２６】
次に、前記座席構造の作用について以下に記載する。
さて、寺院において、普段の本堂１０は和室として使用されており、その床面１７は平坦な畳面とされている。そして、仏事が執り行われるときには東の間１４及び西の間１５の床上に座席体４０を出現させ、同座席体４０に参列者を腰掛けさせる。
【００２７】
すなわち、本堂１０が和室として使用されているとき、図４に示したように当該座席体４０は床下に没入した状態とされており、床面１７の開口部２０は畳で形成された座部４２によって塞がれている。この状態で図示しない制御板により当該座席体４０を出現させるよう操作を行うと、同制御板からの命令によりモータ３５が作動し、支持部材３６が軸線を中心に回転される。一方、同支持部材３６上に螺着されたガイド脚部５１は、前記ガイド手段によって支持部材３６に対する回動を規制され、上下方向への移動を許容されている。従って、同ガイド脚部５１は、支持部材３６とともに回転することはなく、同支持部材３６に対して螺退されながら上方へ移動する。そして、ガイド脚部５１の支持部材３６に対する移動に伴い、図３に示したように、座席体４０は上昇して開口部２０から床面１７上に出現する。
【００２８】
前記制御板は、複数の座席体４０において、それぞれを支持する支持部材３６の回転数、回転時間等を各座席体４０毎に調節する。すなわち、制御板による調節によって支持部材３６に対してガイド脚部５１が螺退する長さは、各座席体４０毎に決められている。そして、この長さが決められた値に達したとき、支持部材３６の回転が停止され、同支持部材３６の上部でガイド脚部５１が位置決めされることにより、座席体４０の出現作業が完了する。なお、この実施形態でガイド脚部５１が螺退する長さは、図７に示したように出現した各座席体４０が前方から後方へ向かうに従って床面１７から座面４２ａまでのそれぞれの高さが高くなるような長さに決められている。
【００２９】
仏事が終了した後は、元の和室とするために東の間１４及び西の間１５の床下に座席体４０を没入させる。この場合、制御板により当該座席体４０を没入させるよう操作を行うと、同制御板からの命令によりモータ３５が作動し、支持部材３６が前記出現時と逆方向へ回転される。すると、前記ガイド脚部５１は、支持部材３６に対して螺進されながら下方へ移動する。このガイド脚部５１の移動に伴って座席体４０が下降し、図４に示したように開口部２０から床面１７下へ没入する。そして、座部４２が開口部２０を塞ぎ、床面１７が平坦な畳面となった状態で支持部材３６の回転が停止され、同支持部材３６の下部でガイド脚部５１が位置決めされることにより、座席体４０の没入作業が完了する。
【００３０】
前記の実施形態によって発揮される効果について、以下に記載する。
・  実施形態の座席構造によれば、本堂１０の東の間１４及び西の間１５において、床面１７に設けられた開口部２０と、その床下に設置された座席昇降機構３０と、当該座席昇降機構３０により開口部２０から出没自在とされた座席体４０とを備えている。この座席体４０は、座席昇降機構３０を操作することによって出没自在とされたものであり、他の部屋からの運搬、保管スペースの確保等を必要としない構成とされている。従って、急な仏事等であっても迅速に設置等を行うことが可能であり、座席の設置作業及び片付作業を簡便なものとすることができる。
【００３１】
・  また、座席昇降機構３０は、前記座席体４０を床下から支持する支持部材３６と、当該支持部材３６に接続されて同支持部材３６を回転駆動させる基台３３、駆動力伝達軸３４、モータ３５等の駆動手段とを備えている。そして、前記座席体４０は、支持部材３６に対して螺合関係で取着されており、同支持部材３６に対する螺退又は螺進によって開口部２０から出没するように構成されている。従って、簡易な構成としながら、支持部材３６による座席体４０の支持及び昇降を確実なものとすることができる。
【００３２】
・  また、当該座席構造において、座席体４０は支持部材３６に対してガイド脚部５１を介して螺着されている。このガイド脚部５１は、ガイド爪５５、ガイドレール６２等のガイド手段により、支持部材３６に対して上下方向への移動を許容され、回動を規制されている。従って、支持部材３６の回転に連動したガイド脚部５１の回転を防止し、支持部材３６に対してガイド脚部５１を確実に螺退又は螺進させることができるとともに、その螺退又は螺進方向を上下方向とすることができる。
【００３３】
・  また、座席体４０は、座席昇降機構３０に取着された支持基体４１と、当該支持基体４１によって下方から支持された座部４２とを有している。この座部４２は、床面１７を構成する畳２１と同様の畳製のものである。従って、座席体４０が没入した状態で座部４２の座面４２ａは、畳２１の表面とともに床面１７を平坦な畳面として構成し、同座面４２ａと畳２１の表面とを一瞥で見分けることは困難となっている。このため、和室としての使用時に違和感が生ずることを抑制し、その美観を保つことが可能である。
【００３４】
・  また、当該座席構造は、隙間埋手段として開口部２０の内周面２０ａと座席体４０の周面４２ｂとをそれぞれテーパ状に形成することとしている。このため、座席体４０が没入した状態で開口部２０の内周面２０ａに座席体４０の周面４２ｂを接触させることができ、座部４２の周囲に隙間が形成されることを防止することができる。従って、座面４２ａと畳２１の表面との識別が極めて困難なものとなり、和室としての使用時に違和感がなく、その美観を保つことが可能である。
【００３５】
・  また、この実施形態においては、前述のように座席体４０の床下への没入時に床面１７を平坦な畳面とすることにより、和室としての美観を保つことも目的としている。すなわち、この実施形態では隙間埋手段を設け、座席体４０が没入した状態で開口部２０の内周面２０ａに座席体４０の周面４２ｂを接触させている。この場合、座席体４０を出没させる際に開口部２０の内周面２０ａと座席体４０の周面４２ｂとの間には摺動抵抗が生じる。ここで、支持部材３６をエアーシリンダ、油圧シリンダ等の伸縮可能な部材によって構成した場合、当該部材は座部４２が開口部２０に引っ掛かった状態で伸縮する等して誤差を生じやすく、座部４２を床面１７から若干浮いた状態としてしまうおそれがある。加えて、当該座席体４０に複数人が腰掛ける場合、各人が腰掛けたり、移動したり等する度に座席体４０全体が浮き沈みして参列者に不快感を与えるおそれもある。これに対し、当該実施形態のように支持部材３６を螺合材とした場合には同支持部材３６自体が伸縮するものではないため、前記伸縮可能な部材に比べて誤差が小さく、また座部４２を開口部２０から押し出す、あるいは開口部２０内に引き込む力が強い。従って、座席体４０を支持部材３６に対して螺合関係で取着することにより、座席体４０の昇降時における誤差を小さくし、座部４２が床面１７から浮く等の不具合の発生を抑制することができるとともに、着座時における不快感を解消することができる。
【００３６】
・  また、座席体４０は、支持基体４１をその周壁の外面が前記座部４２の周面４２ｂよりも内側となるように配設することにより、支持基体４１の周囲に脚置空間４４を有している。この脚置空間４４は、支持基体４１の前部に特に大きなものが設けられている。従って、参列者は脚部を真っ直ぐに降ろした状態で座席体４０に深く腰掛けることができ、座席体４０は着座時の姿勢が自然なものであり、座りやすいものとすることができる。
【００３７】
・  また、支持基体４１の前部に他箇所より大きな脚置空間４４を設けたことにより、座席体４０の出現時に座席体４０の前面４５と前記開口部２０の内周面２０ａとの間には大きな間隙２２が形成されてしまう。そして、当該座席構造は、同間隙２２を塞ぐために当該間詰手段が設けられている。従って、座席体４０の出現時における間隙２２による美観の低下、間隙２２に足をとられる等の不具合を解消することができる。
【００３８】
（第２の実施形態）
以下、本発明の第２の実施形態について図面に基づいて説明する。なお、この第２の実施形態においては、第１の実施形態と異なる点を中心に説明する。
【００３９】
図２に示すように、当該実施形態においては前記本堂１０の各露地１６が参列者用の座とされ、これら露地１６には座席体としての禅単４０ａを出没自在とした座席構造がそれぞれ設けられている。なお、禅単４０ａは各露地１６に複数が設けられるとともに、それぞれが南北方向で互いに向かい合うように配置されている。これ以降、この実施形態中で禅単４０ａの前方とは各禅単４０ａの南方又は北方、つまりは各露地１６で一の禅単４０ａが他の禅単４０ａと対向する方向を示すものとする。
【００４０】
図９〜１１に示すように、当該座席構造においては、露地１６の床面１７に開口部２０が設けられるとともに、同開口部２０の床下には第１の実施形態と同様の座席昇降機構３０が設置されている。そして、禅単４０ａは同座席昇降機構３０によって開口部２０から出没自在とされている。
【００４１】
当該禅単４０ａは、支持基体４１と同支持基体４１によって下方から支持された座部４２とを有している。該支持基体４１は、横長四角筒状に形成され、その内部に設けられたフレーム４３によって補強されている。また、この支持基体４１の図示しない内部には、複数枚の仕切壁が箱状に配設されることによって収納スペースが設けられている。該座部４２は一般的なサイズの畳とほぼ同じサイズの畳で形成されており、参列者は同座部４２に腰掛けるのみならず座面４２ａ上で座禅を組むことができるようになっている。また、この座部４２は、支持基体４１のフレーム４３に対して回動可能に取着されることにより、参列者が腰掛けるという機能と、支持基体４１の上部開口を閉塞する蓋体としての機能とを兼ね備えている。そして、当該禅単４０ａは、図９に二点鎖線で示したように、蓋体である座部４２を回動させて支持基体４１の上部開口を開放することにより、前記収納スペースに座布団等を収納可能に構成されている。
【００４２】
前記支持基体４１の底部でフレーム４３には、座席昇降機構３０の支持部材３６の位置と対応するように、ガイドフレーム５１ａが取付けられている。当該ガイドフレーム５１ａは角材を組み合わせることによって四角枠状に形成され、その上辺部５３ａで前記フレーム４３に固着されている。また、ガイドフレーム５１ａの底辺部５２ａにはその略中心部に雌ねじ孔５４が螺設されており、該雌ねじ孔５４と対応する位置となるように、上辺部５３ａには挿通孔５４ａが透設されている。そして、ガイドフレーム５１ａの雌ねじ孔５４に支持部材３６が螺挿され、支持基体４１がガイドフレーム５１ａを介して支持部材３６に取着されることにより、禅単４０ａは座席昇降機構３０の支持部材３６によって床下から支持されている。
【００４３】
前記ガイドフレーム５１ａは図示しないガイド爪を有するとともに、このガイド爪は、ガイド柱６１に設けられた図示しないガイドレールに係合されている。これらガイド爪及びガイドレールは、ガイドフレーム５１ａ、ガイド柱６１等とともにガイド手段を構成している。このガイドフレーム５１ａは、ガイド柱６１に対する上下方向への移動を許容されるとともに、支持部材３６に対する回動を規制されている。従って、当該ガイドフレーム５１ａは支持部材３６の回転時に同支持部材３６に対して下方へ螺進又は上方へ螺退されるようになっており、このガイドフレーム５１ａの支持部材３６に対する移動に伴って禅単４０ａは床下へ没入又は床上へ出現するように構成されている。なお、前記収納スペースを形作る仕切壁は、禅単４０ａが床下へ没入された状態で支持部材３６及びガイド柱６１を避けるように配設されており、当該没入時における仕切壁と支持部材３６及びガイド柱６１との干渉が防止されている。また、座部４２の周面４２ｂ及び開口部２０の内周面２０ａは、隙間埋手段として下方へ向かうに従って互いに接近するテーパ状に形成されており、禅単４０ａの床下への没入時に座部４２と開口部２０との間で隙間が形成されないよう構成されている。
【００４４】
前記座部４２は、その前方端部が支持基体４１の前面４５よりも外方へ大きく突出されている。該座部４２の前方端部において、その下面には取付材８１が取り付けられている。この取付材８１には、回動アーム８２の基端が回動自在に取着されている。そして、この回動アーム８２の先端には禅卓８３が固着されている。
【００４５】
図１１（ａ）に示したように、当該禅卓８３は、回動アーム８２とともに下方へ回動させることによって折り畳まれ、座部４２の前方端部下面、支持基体４１の前面４５等によって形作られる空間内に収容される。この状態では禅単４０ａの床下への没入時における禅卓８３と床面１７との接触が防止されており、禅単４０ａは床下へ不具合なく没入される。さらには、禅単４０ａの床下への没入時に禅卓８３が床面へ表出されず、露地１６を和室として使用する際の違和感をなくし、美感の保持が図られている。
【００４６】
図１１（ｂ）に実線で示したように、当該禅卓８３は、回動アーム８２とともに上方へ回動させることによって引き出される。この状態で、禅卓８３は、その上面が座面４２ａと同じ高さとなるように形成されている。また、回動アーム８２の基端部には図示しないロック機構が設けられており、同ロック機構によって禅卓８３は引き出された状態を保持されるように構成されている。そして、当該禅卓８３には、禅修行等の仏事で禅単４０ａを使用する際に経文、粥等が置かれるようになっている。
【００４７】
また、当該禅卓８３を設けたことにより、禅単４０ａを床上に出現させた状態で、禅単４０ａの前面４５と前記開口部２０の内周面２０ａとの間には大きな間隙２２が形成されている。この間隙２２を塞ぐため、支持材７１、支承体７２、支持棒７３、付勢部材７６、間詰板７７等によって構成された間詰手段が設けられている。
【００４８】
さて、当該座席構造において禅単４０ａは、禅堂に代えて本堂１０で仏事である禅修行を行う際に使用される。すなわち、本堂１０の各露地１６は、通常は和室、通路等として使用されており、その床面１７は平坦な畳面とされている。そして、禅修行を行う際には仕切手段１１によって各露地１６と大間１２、東の間１４及び西の間１５とを仕切り、各露地１６の床面上に禅単４０ａを出現させる。
【００４９】
この禅単４０ａの出現作業は、第１の実施形態で座席体４０を出現させたときと同様に制御板を操作することによって行われる。つまり、制御板からの命令でモータ３５が作動して支持部材３６が回転するとともに、これに伴い支持部材３６に対してガイドフレーム５１ａが螺退して上方へ移動することにより、禅単４０ａは床上に出現する。その後、禅卓８３を上方へ回動させ、この状態で位置保持することにより、禅単４０ａの使用準備が整い、参列者は同禅単４０ａの座面４２ａ上で座禅を組む等して禅修行を行う。
【００５０】
禅修行が終了した後は、禅卓８３を下方へ回動させて収容した後、各露地１６の床面を元の畳面とするため、制御板により当該禅単４０ａを没入させるよう操作を行う。すると、支持部材３６の回転に伴い支持部材３６に対してガイドフレーム５１ａが螺進して下方へ移動することにより、禅単４０ａは床下に没入する。そして、座部４２が開口部２０を塞ぎ、床面が平坦な畳面となった状態で支持部材３６の回転が停止されることにより、禅単４０ａの没入作業が完了する。
【００５１】
前記の実施形態によって発揮される効果について、以下に記載する。
・  当該座席構造は、本堂１０の各露地１６において、座席体である禅単４０ａを出没自在としている。この禅単４０ａは禅修行で使用されるものであり、当該実施形態の本堂１０は、法要等の仏事に限らず、禅修行を行う禅堂の代わり等として多目的に使用することが可能である。従って、本堂１０を多目的に使用する場合であっても、各使用用途に合わせた設置作業及び片付作業を迅速かつ簡便に行うことができる。
【００５２】
・  また、当該禅単４０ａは、禅卓８３を回動自在に取り付けることによって折り畳み可能としている。従って、禅卓８３が設けられている分だけ必要以上に開口部２０を拡げずとも、禅単４０ａを床下へ没入させることができる。特に、禅単４０ａを床下へ没入させた状態における床面への禅卓８３の表出を防止することができ、和室としての使用時に違和感がなく、その美観を保つことが可能である。
【００５３】
・  また、当該禅単４０ａは、内部に収納スペースを有していることから、スペースの有効活用を図ることが可能である。
なお、本実施形態は、次のように変更して具体化することも可能である。
【００５４】
・  当該座席構造は、寺院の本堂１０のみに具体化することに限らず、例えば神社の本殿、拝殿等の社殿に具体化してもよい。なお、この場合には神社にもよるが、本殿、拝殿等の床面が板面であれば、これに合わせて座部を畳に代えて木板で形成することが好ましい。あるいは、寺院又は神社に限らず、仏事、神事が執り行われる建物であれば、セレモニーホール、斎場等に具体化してもよい。
【００５５】
・  前記禅単４０ａは、禅修行に使用することに限らず、例えば法要等の仏事において、座席体４０とともに参列者用の座席として使用してもよい。
・  前記座席昇降機構３０は、実施形態で示した支持部材３６に対する座席体４０等の螺進又は螺退によるものに限らず、エアーシリンダ、油圧シリンダ等の伸縮可能な部材、あるいは油圧モータ等を用い、座席体４０等の下降又は上昇によるものとしてもよい。
【００５６】
・  前記座席体４０の座部４２を、禅単４０ａの座部４２と同様に開閉可能な構成とし、同座席体４０の内部に収納スペースを設ける等してもよい。
・  座席体４０等の座部４２で開口部２０を閉塞することに限らず、例えば開口部２０の周縁部に同開口部２０を開閉するための蓋材を取付けてもよい。そして、座席体４０の出現時には同座席体４０により蓋材を押し上げて開口部２０を開放し、座席体４０の没入時には手作業等で開口部２０を閉塞するよう構成してもよい。
【００５７】
・  前記間詰手段を間詰板７７のみで構成し、座席体４０等を出現させた後、手作業で間隙２２に間詰板７７を嵌め込む等してもよい。あるいは、間詰手段を省略して座席構造を構成してもよい。
【００５８】
・  例えば、ガイド脚部５１又はガイドフレーム５１ａを省略し、支持基体４１を補強するフレーム４３に雌ねじ孔を螺設する等して座席体４０等を支持部材３６に螺着してもよい。
【００５９】
さらに、前記実施形態より把握できる技術的思想について以下に記載する。
・  前記座席体は、前記支持部材の駆動による同支持部材に対する螺退又は螺進によって出没自在とされたものであることを特徴とする請求項２から請求項４のいずれか一項に記載の座席構造。
【００６０】
・  前記座席昇降機構は、前記座席体の昇降方向を案内するガイド手段を備えていることを特徴とする請求項１から請求項４のいずれか一項に記載の座席構造。
・  前記座席体は、前記支持基体の周壁の外面が前記座部の周面よりも内側に配設されることにより、当該支持基体の周囲に脚置空間が設けられたものであることを特徴とする請求項３又は請求項４に記載の座席構造。
【００６１】
・  前記座部は、その周面が床面へ向かうに従って互いに接近するテーパ状に形成されたものであり、この座部の周面に対応するように前記開口部は、その内周面が床面へ向かうに従って互いに離間するテーパ状に形成されたものであることを特徴とする請求項３又は請求項４に記載の座席構造。
【００６２】
・  前記座席体を複数有するとともに、これら座席体は、参列者の視点が集まる箇所から遠ざかるに従い、床面から座面までのそれぞれの高さが高くなるように構成されていることを特徴とする請求項１から請求項４のいずれか一項に記載の座席構造。
【００６３】
・  前記建物は、寺院の本堂又は神社の社殿であり、前記床面は、畳面又は板面であることを特徴とする請求項１から請求項４のいずれか一項に記載の座席構造。
【図面の簡単な説明】
【００６４】
【図１】（ａ）は座席体を床上に出現させた状態を示す斜視図、（ｂ）は座席体を床下に没入させた状態を示す斜視図。
【図２】寺院の本堂の概略を示す平面図。
【図３】座席体を床上に出現させた状態を示す正断面図。
【図４】座席体を床下に没入させた状態を示す正断面図。
【図５】ガイド柱にガイド脚部が係合された状態を示す平断面図。
【図６】座席体を床上に出現させた状態を示す側断面図。
【図７】座席体を床上に出現させた状態を示す側断面図。
【図８】座席体を床下に没入させた状態を示す側断面図。
【図９】禅単を床上に出現させた状態を示す側断面図。
【図１０】禅単を床下に没入させた状態を示す側断面図。
【図１１】（ａ）は禅単の禅卓を折り畳んだ状態を示す側断面図、（ｂ）は禅単の禅卓を引き出した状態を示す側断面図。
【符号の説明】
【００６５】
１０…建物である本堂、１４…参列者用の座である東の間、１５…参列者用の座である西の間、１７…床面、２０…開口部、３０…座席昇降機構、３６…支持部材、４０…座席体、４０ａ…座席体としての禅単、４１…支持基体、４２…座部、４２ａ…座面。
【図１】
2005111096.tif 000003
【図２】
2005111096.tif 000004
【図３】
2005111096.tif 000005
【図４】
2005111096.tif 000006
【図５】
2005111096.tif 000007
【図６】
2005111096.tif 000008
【図７】
2005111096.tif 000009
【図８】
2005111096.tif 000010
【図９】
2005111096.tif 000011
【図１０】
2005111096.tif 000012
【図１１】
2005111096.tif 000013